(57)【要約】【課題】弱電界領域であっても画像の乱れを防止し、正常に画像を表示することができるデジタルテレビ放送受信装置を提供する。【解決手段】マスタチューナ３、スレーブチューナ４は、指示されたチャンネルの高周波放送波を選択受信し、中間周波信号に変換した後、復調・デコード部５からのＡＧＣ信号AGC-M、AGC-Sに基づいて中間周波信号を増幅する。復調・デコード部５は中間周波信号をデジタル信号に変換し、高速フーリエ変換して復調するとともに、復調出力を伸長復号化し、ＪＰＥＧデコーダ６にＪＰＥＧデータを出力する。一方、ＪＰＥＧデコーダ６は、チューナ３、４に供給されているＡＧＣの制御量に応じて復号範囲を変更することにより、映像再生の解像度を下げ、弱電界領域であっても画像の乱れを防止する。【選択図】図１
2008022462.tif 000002
【特許請求の範囲】
【請求項１】
デジタルテレビ放送信号を受信する受信手段と、
上記受信手段からの圧縮データを復号する復号手段と、
上記デジタルテレビ放送信号の信頼性情報に基づいて圧縮データの復号範囲を制御する制御手段、とを備えたことを特徴とするデジタルテレビ放送受信装置。
【請求項２】
上記制御手段が、上記デジタルテレビ放送信号の信頼性情報に基づいて圧縮データの所定個数のブロック内のどの範囲まで復号するかを制御することを特徴とする、請求項１に記載のデジタルテレビ放送受信装置
【請求項３】
上記制御手段が、上記デジタルテレビ放送信号の信頼性情報に基づいて圧縮データのＭＣＵ単位で復号範囲を制御することを特徴とする、請求項１に記載のデジタルテレビ放送受信装置
【請求項４】
デジタルテレビ放送信号を受信する受信手段と、
上記受信手段からの圧縮データを復号する復号手段と、
上記デジタルテレビ放送信号の信頼性情報に基づいて上記復号手段からの画像信号の圧縮率を制御する制御手段、とを備えたことを特徴とするデジタルテレビ放送受信装置。
【請求項５】
上記デジタルテレビ放送信号の信頼性情報が、オート・ゲイン・コントロール信号、受信信号レベル、受信データの誤り率、または、信号対雑音比のいずれかであることを特徴とする、請求項１〜請求項４のいずれかに記載のデジタルテレビ放送受信装置。
【発明の詳細な説明】
【技術分野】
【０００１】
本発明は、デジタルテレビ放送受信装置に係り、特に、耐ノイズ性に弱い、ＪＰＥＧ、ＭＰＥＧ等のデータの表示画像の乱れを防止するデジタルテレビ放送受信装置に関する。
【背景技術】
【０００２】
デジタルテレビ放送波を受信するテレビ放送受信装置では、受信状態が変化しても常にＡ／Ｄ変換回路への入力が一定になるように、ＡＧＣ（オート・ゲイン・コントロール）検波回路の出力を基に、電界強度が低い時は中間周波増幅回路の増幅利得を高くするように、また、電界強度が高い時は増幅利得を低くするように、ＡＧＣ制御信号を出力してフィードバックをかけている。
【０００３】
一方、デジタルテレビ放送では、画像データをＪＰＥＧ、ＭＰＥＧ等により圧縮して送信しているが、このようなＪＰＥＧ、ＭＰＥＧは耐ノイズ性に弱く、また、画像データが無線回線を介して伝送されるため、伝送信号が雑音の影響を受けやすい。伝送信号が雑音の影響を受けると、受信データにデータ誤りが発生しやすくなり、受信データにデータ誤りが発生すると、受信画像の画質が低下し、利用者に不快感を与えることが多い。
【０００４】
このため、従来、画像データを送信する場合は、送信データを所定のブロックごとに分割し、各ブロックごとに誤り検出符号を付加して送信している。そして、画像データを受信する場合は、上記誤り検出符号に基づいて、各ブロックごとにデータ誤りを検出し、受信データにデータ誤りが発生すると、受信データの訂正をおこなったり、受信画像の表示を停止したりしている（例えば、特許文献１参照）。
【特許文献１】特開平１０−２４３４２１号公報
【発明の開示】
【発明が解決しようとする課題】
【０００５】
上記のように、従来のデジタルテレビ放送受信装置では、ＡＧＣ回路や誤り訂正回路を備えているので、電界強度が多少悪化してもアナログテレビのように、画質が低下することなく良好な画質や音声が得られる。しかしながら、車載用のテレビ放送受信装置では、車両の走行に応じて電波の受信状態が変化し、特に、山間部やトンネル内では、電波の受信状態が大きく、かつ、急激に変化する。このような状態で受信を継続していると、例え、ＡＧＣ回路や誤り訂正回路を備えていても、受信データの誤り訂正ができなくなり、頻繁に画像が固定して動かない状態になったり、音声が途切れるようになる。
【０００６】
また、上記のように、デジタルテレビ放送受信装置において、データ誤り率が大きくなったり、誤り回数が多くなると、復調表示を停止することも行われている。しかし、このようにすると、ＪＰＥＧデータ等の受信画像を表示できないことになってしまい、全体的なイメージすら分からない状態になる。
【０００７】
本発明は、上記の問題に鑑みてなされたもので、弱電界領域であっても画像の乱れを防止し、正常に画像を表示することができるデジタルテレビ放送受信装置を提供することを目的とする。
【課題を解決するための手段】
【０００８】
上述の目的を達成するため、本発明に係るデジタルテレビ放送受信装置は、デジタルテレビ放送信号の信頼性情報、例えば、出力信号のレベルを一定に保つためのＡＧＣ制御信号、受信信号レベル、受信データの誤り率、または信号対雑音比のいずれかに基づいて圧縮データの復号範囲あるいは圧縮データの復号画像信号の圧縮率を制御することを特徴とする。  
【発明の効果】
【０００９】
弱電界領域などでは、チューナからの入力に対してＡＧＣの制御量が大きくなるが、これはＪＰＥＧ等の圧縮データに対するデータビット誤り率が大きくなる可能性があることを意味し、ビット誤り率が大きなＪＰＥＧデータを復号すると、画像が乱れ、正常に表示できない。しかしながら、本発明に係るデジタルテレビ放送受信装置によれば、デジタルテレビ放送信号の信頼性情報、例えば、ＡＧＣの制御量に応じて圧縮データの復号範囲または復号画像の圧縮率を変更することができるので、ノイズの状況に応じて「おおまかな絵」〜「細かな絵」を表示させることができ、弱電界領域であっても画像の乱れを防止し、正常に画像を表示することができる。
【実施例１】
【００１０】
以下、本発明のデジタルテレビ放送受信装置の実施例について、図面を用いて説明する。
図１は本発明のデジタルテレビ放送受信装置の構成を示すブロック図であり、この装置は、アンテナ１、２、マスタチューナ３、スレーブチューナ４、復調・デコード部５、ＪＰＥＧデコーダ６、誤り率検出部７及びディスプレイ８により構成されている。
【００１１】
マスタチューナ３、スレーブチューナ４は、アンテナ１、２から入力されたデジタルテレビ放送波の中から指示されたチャンネルの高周波放送波を選択受信し、中間周波信号に変換した後、復調・デコード部５からのＡＧＣ（オート・ゲイン・コントロール）信号AGC-M、AGC-Sに基づいて中間周波信号を増幅し、復調・デコード部５に入力する。
なお、車両用のＴＶチューナやラジオチューナでは、車両の移動に伴って、常に受信電波の状態が変化する為、常に最良の電波を受信する目的で、上記のようにマスタチューナ３とスレーブチューナ４を備えたダイバーシティ受信機が使用されている。そして、受信信号に含まれるマルチパスノイズ量が閾値を越えた場合、チューナを切り替えたり、二つのチューナの受信信号の合成信号により復調処理を実行している。
【００１２】
復調・デコード部５はマスタチューナ３またはスレーブチューナ４からの中間周波信号をＡ／Ｄ変換回路でデジタル信号に変換し、検波処理して上記のＡＧＣ信号AGC-M、AGC-Sを発生し、マスタチューナ３、スレーブチューナ４にフィードバックをかけることにより、信号受信レベルを一定に保つようにしている。また、この復調・デコード部５はマスタチューナ３またはスレーブチューナ４からの中間周波信号を高速フーリエ変換し、復調するとともに、復調出力を伸長復号化し、ＪＰＥＧデコーダ６及び誤り率検出部７にＪＰＥＧデータを出力する。
【００１３】
また、ＪＰＥＧデコーダ６はＪＰＥＧデータを復号化し、次に逆量子化して離散的なコサイン波の強度データに復元し、色空間のＹ、Ｃr、Ｃbの３つの成分ごとのブロックデータに変換する。このＪＰＥＧデコーダ６からのＪＰＥＧ画像はディスプレイ８に入力される。さらに、誤り率検出部７は、復調・デコード部５からのＪＰＥＧデータに基づいて、各パケットごとにデータ誤りが発生しているか否かを検出して受信データの誤り率を演算し、ＪＰＥＧデコーダ６に供給する。この誤り率の演算は、所定のパケット数ごとに、データ誤りの発生したパケットの割合を演算することにより行われる。
【００１４】
図２はＪＰＥＧデコーダ６の構成を機能で表した機能ブロック図であり、図に示すように、ＪＰＥＧデコーダ６は、ハフマン復号部１１、逆量子化部１２、ＩＤＣＴ変換部１３、制御部１４により構成されている。これらの各構成部の機能を説明する前に、ＪＰＥＧ方式による画像圧縮の概略手順について説明する。
輝度成分または色成分の情報からなる原画像を、図３に示すように、８×８画素からなる複数のブロックに分割する。次に、各ブロックに２次元離散コサイン変換（ＤＣＴ）を行い、各ブロックの情報を図４に示すように、空間周波数成分であるＤＣＴ係数の８×８の配列に変換する。図４に示した配列では、行方向がブロック内のｘ方向への、列方向がブロック内のｙ方向への空間周波数に対応した成分の配列であり、図中の８×８配列の右下が高周波成分であり、左上が低周波成分である。
【００１５】
次に、各ブロックにおける実数からなるＤＣＴ係数の配列の夫々の成分を、夫々の周波数に割り振られている量子化幅で量子化して量子化空間周波数成分である量子化ＤＣＴ係数の８×８の配列に変換する。そして、各係数ブロックの量子化された変換係数を、ＤＣ係数とＡＣ係数に分け、ＡＣ係数に対してはジグザグスキャンを施した後にランレングスハフマン符号化を行い、ＤＣ係数に対しては差分符号化を施した後にハフマン符号化を行うことでＪＰＥＧ画像が生成される。
【００１６】
一方、ＪＰＥＧ画像の復元の概略手順は、上記の画像圧縮の概略手順の逆であり、すなわち、ＪＰＥＧデコーダ６は、ハフマン復号部１１によりＪＰＥＧデータのＤＣ（直流）成分に対してハフマン復号化を行い、ＡＣ（交流）成分に対してランレングスハフマン復号化を行う。これにより、図４に示す、量子化された８×８の周波数成分ブロックが各々得られる。次に、各周波数成分ブロックに対して、逆量子化部１２とＩＤＣＴ変換部１３によって逆量子化と逆ＤＣＴ演算とを行って各周波数成分ブロックをＹＣbＣrで表した画素ブロックにし、ＹＣbＣrで表された各画素ブロックを合成して、ＹＣbＣrビットマップ画像を形成する。そして、その画像の色空間ＹＣbＣrを色変換部（図示せず）により元の色空間（例えばＲＧＢ）に色変換することにより、ＪＰＥＧ画像を復元することができる。
【００１７】
ＪＰＥＧデータはＪＰＥＧデコーダ６により、上記のようにして復号されるが、このとき、復調・デコード部５からのＡＧＣ制御信号AGC-M、AGC-Sが制御部１４に入力される。制御部１４は、その時点で復調に使用しているチューナに供給されているＡＧＣの制御量に応じて、図５に示すように、ハフマン復号部１１でのブロックの復号範囲を決定し、ハフマン復号部１１に復号範囲指示信号を入力する。
すなわち、弱電界領域などでは、チューナからの入力に対してＡＧＣの制御量が大きくなり、これはＪＰＥＧに対するデータビット誤り率が大きくなる可能性があることを意味し、ビット誤り率が大きなＪＰＥＧデータを復号すると、画像が乱れ、正常に表示できない。
このため、図５に示すように、制御部１４は、ブロックの復号範囲を決定する描画領域決定直線を定義し、ＡＧＣ制御量がａより大きい時、図６の８×８ブロックにおいて（ｉ）の領域、すなわち、低周波数成分のみを使用して復号するようにハフマン復号部１１に指示することにより、処理する画素数を減らし、映像再生の解像度を下げる。
【００１８】
また、ＡＧＣ制御量がａ〜ｂの範囲にあるとき、制御部１４は、図６の（ｉ）、（ii）の領域のみを使用して復号するようにハフマン復号部１１に指示し、ＡＧＣ制御量がｂ〜ｃの範囲にあるときは、図６の（i）、（ii）、（iii）の領域のみを使用して画像データを復号するようにハフマン復号部１１に指示する。
さらに、ＡＧＣ制御量がｃより小さいとき、制御部１４は、図６の（ｉ）〜（iv）の全ての領域を使用して画像データを復号するようにハフマン復号部１１に指示する。
このように、ＡＧＣ制御量に応じて復号範囲を変更することにより、映像再生の解像度を下げることができるので、弱電界領域であっても画像の乱れを防止し、正常に画像を表示することができる。
【００１９】
なお、上記の図５の復号範囲を決定する描画領域決定直線は外部よりユーザが任意に設定できるようにすることが望ましい。また、ＪＰＥＧデータのデコード結果を表示した後、ユーザに復号結果の理解度を入力してもらってデータベース化し、データベース化された値を用いて描画領域決定直線を変更することも可能である。
さらに、上記の実施例では、ＡＧＣ制御量がａより大きい時、図６の領域（ｉ）を復号するようにしたが、ＡＧＣ制御量が一定値より大きい時、ＪＰＥＧデータを復号しないようにすることもできる。
【００２０】
また、上記の実施例では、その時点で復調に使用しているチューナに供給されているＡＧＣの制御量に基づいて復号範囲を変更したが、例えば、二つのチューナの受信信号の合成信号により復調処理を実行しているような場合には、マスタ、スレーブの両者のＡＧＣ制御量から描画領域決定直線を作成し、算出されたそれぞれのブロック復号範囲のＡＮＤまたはＯＲにより最終的なブロック復号範囲を決定することも可能である。
【実施例２】
【００２１】
上記の実施例では、ハフマン復号時の周波数成分の８×８ブロックに対して適用したが、ＩＤＣＴ演算前の８×８ブロックに対して復号範囲を変更することもでき、以下、ＩＤＣＴ演算前の８×８ブロックに対して復号範囲を変更する実施例について説明する。
なお、デジタルテレビ放送受信装置の構成は図１に示すブロック図と同じであるので、説明は省略する。
【００２２】
図７は本実施例における、ＪＰＥＧデコーダ６の詳細を示す機能ブロック図であり、図に示すように、ＩＤＣＴ変換部１３に制御部１４からの復号範囲指示信号が入力されている点を除いて、図２と構成は同じであるので、詳細な説明は省略する。
このように、ＩＤＣＴ変換部１３に制御部１４からの復号範囲指示信号を入力し、ＩＤＣＴ演算前の８×８ブロックに対して図５、図６で説明したと同様に、ＡＧＣ制御信号AGC-M、AGC-Sの大きさに基づいて復号範囲を変更することにより、ノイズの状況に応じて圧縮データを復号でき、弱電界領域であっても画像の乱れを防止し、正常に画像を表示することができる。
【実施例３】
【００２３】
また、以上の実施例では、ＡＧＣ制御信号の大きさに応じて復号範囲を変更したが、受信データの誤り率に基づいて復号範囲を変更することもでき、以下、受信データの誤り率に基づいて復号範囲を変更する実施例について説明する。
なお、デジタルテレビ放送受信装置の構成は図１に示すブロック図と同じであるので、説明は省略する。
【００２４】
図８は本実施例における、ＪＰＥＧデコーダ６の詳細を示す機能ブロック図であり、図に示すように、制御部１４に、AGC-M、AGC-Sに換えて誤り率検出部７からの受信データの誤り率が入力されている点を除いて、図２と構成は同じであるので、詳細な説明は省略する。
そして、制御部１４は、図９に示すように、誤り率検出部７からの受信データの誤り率に応じて、ブロックの復号範囲を決定する描画領域決定直線を定義し、誤り率がｄより大きい時、図６の８×８ブロックにおいて（ｉ）の領域、すなわち、低周波数成分のみを使用して復号するようにハフマン復号部１１に指示することにより、処理する画素数を減らし、映像再生の解像度を下げる。
【００２５】
また、誤り率がｄ〜ｅの範囲にあるとき、制御部１４は、図６の（ｉ）、（ii）の領域のみを使用して復号するようにハフマン復号部１１に指示し、誤り率がｅ〜ｆの範囲にあるときは、図６の（ｉ）、（ii）、（iii）の領域のみを使用して画像データを復号するようにハフマン復号部１１に指示する。また、誤り率がｆより小さいとき、制御部１４は、図６の（ｉ）〜（iv）の全ての領域を使用して画像データを復号するようにハフマン復号部１１に指示する。このように、受信データの誤り率の大小によって８×８ブロックにおける復号領域を変更することにより、弱電界領域であっても画像の乱れを防止し、正常に画像を表示することができる。
【００２６】
なお、上記と同様に、ＩＤＣＴ変換部１３に制御部１４からの復号範囲指示信号を入力し、ＩＤＣＴ演算前の８×８ブロックに対して図８、図９で説明したと同様に、誤り率の大きさに基づいて復号範囲を変更することも可能である。
さらに、受信データの誤り率に換えて受信信号レベル、あるいは、信号対雑音比、例えば、Ｃ／Ｎ（キャリヤ対ノイズ比）に応じて復号範囲を変化させるようにすることも可能である。図１０は、受信信号レベル、すなわち、選択されたチャンネルの高周波受信波の受信強度に応じてブロックの復号範囲を決定する描画領域決定直線を定義した例であり、受信強度が小さい場合には復号範囲を狭くし、受信強度が大きい場合には、復号範囲を広くする。
【実施例４】
【００２７】
以上の実施例では８×８ブロックに対して復号範囲を変更したが、ＭＣＵ単位で復号範囲を変更することも可能である。
ＭＣＵ（Minimum Coded Unit）は、ＪＰＥＧの圧縮伸張の最小単位であり、輝度成分（Ｙ）、色差成分（Ｃb、Ｃr）からなる。
このＭＣＵにはサブサンプリング比率に応じて種々の形式があり、［４：１：１］（２ｈ２ｖ）は色成分を縦横ともに１／２に縮小して圧縮する方式で、ＪＰＥＧファイルとしては最も一般的な形式であり、ＹＣbＣr形式で出力する際、ＣbＣr成分は横軸方向に１回、縦軸方向に２回ずつ使用され、図１１に示すように、６個の輝度成分（Ｙ）、色差成分（Ｃb、Ｃr）を復号すると、８×８ピクセルの画像が４つ、すなわち、１６×１６ピクセルの画像信号が得られる。
【００２８】
また、［４：２：２］（２ｈ１ｖ）は、色成分を横方向にのみ縮小して圧縮する方式で、主にデジタルカメラなどの画像機器が出力することが多く、ＹＣbＣr形式で出力する際、ＣbＣr成分は横軸方向に１回、縦軸方向に１回ずつ使用され、図１２に示すように、４個の輝度成分（Ｙ）、色差成分（Ｃb、Ｃr）を復号すると、８×８ピクセルの画像が２つ、すなわち、１６×８ピクセルの画像信号が得られる。
【００２９】
さらに、［４：２：２］（１ｈ２ｖ）は、色成分を縦方向にのみ１／２に縮小して圧縮する方式で、ＹＣbＣr形式で出力する際、ＣbＣr成分は横軸方向に0.5回、縦軸方向に２回ずつ使用され、図１３に示すように、４個の輝度成分（Ｙ）、色差成分（Ｃb、Ｃr）を復号すると、８×８ピクセルの画像が２つ、すなわち、８×１６ピクセルの画像信号が得られる。この形式はあまり一般的な形式ではないが、［４：２：２］（２ｈ１ｖ）形式のＪＰＥＧファイルに対して「ＪＰＥＧロスレス回転」処理を行うと、この形式になる。
【００３０】
また、［４：４：４］（１ｈ１ｖ）は色成分サンプリングを行わずに圧縮する方式で、最も高画素であり、ＹＣbＣr形式で出力する際、ＣbＣr成分は横軸方向に0.5回、縦軸方向に１回ずつ使用され、図１４に示すように、３個の輝度成分（Ｙ）、色差成分（Ｃb、Ｃr）を復号すると、８×８ピクセルの画像信号が得られる。
【００３１】
以下、［４：１：１］（２ｈ２ｖ）形式のＪＰＥＧファイルを例として、デジタルテレビ放送信号の信頼性情報に基づいてＭＣＵ単位で復号範囲を変更する実施例について説明するが、他の形式のＪＰＥＧファイルに対しても適用することが可能である。なお、デジタルテレビ放送受信装置及びＪＰＥＧデコーダの構成は図１、図２に示すブロック図と同様であるので説明は省略する。
制御部１４は、図１５に示すように、ＭＣＵ単位で、例えば、ＡＧＣ制御量の大きさを判別し、ＭＣＵ単位でハフマン復号後の画像データの復号範囲を変化させる。すなわち、制御部１４は、実施例1及び２と同様に、図５に示すような描画領域決定直線を定義し、ブロックの復号範囲を決定する。例えば、図１５（ａ）に示すように、ＡＧＣ制御量が小さいＭＣＵ（Ａ）の場合、図１５（ｂ）の斜線に示すように、復号に使用する範囲を広くし、ＡＧＣ制御量が大きいＭＣＵ（Ｂ）の場合、図１５（ｃ）の斜線に示すように、復号に使用する範囲を狭くする。
このように、デジタルテレビ放送信号の信頼性情報に基づいてＭＣＵ単位で復号範囲を変更することにより、同様に、弱電界領域であっても画像の乱れを防止し、正常に画像を表示することができる。
【００３２】
なお、上記と同様に、ＡＧＣ制御量に換えて、受信データの誤り率、受信信号レベル、あるいはＣ／Ｎに応じてＭＣＵ単位で復号範囲を変更することも可能であり、また、復号範囲の設定を外部から行えるようにし、ユーザに決定させるようにしてもよい。
また、各ＭＣＵ単位で復号範囲を変更するのではなく、制御部１４が、ＭＣＵ毎のＡＧＣ制御量等の信頼性情報を数値化して図１６に示すように記憶した後、全体としての平均値を算出し、例えば、平均値＝３のとき、３以下のＭＣＵに対して復号範囲を小さくすることも可能である。この場合、算出した平均値が規定する値よりも低かった場合、復号を終了してもよく、また、平均値を算出することなく、信頼性が一番低い値を持つＭＣＵの復号範囲を基準として全てのＭＣＵの復号範囲とすることもできる。さらに、算出した平均値が一定値以下であった場合、ハフマン復号後の画素データによる画像を圧縮して縮小表示するようにしてもよい。
【００３３】
さらに、サブサンプリング比率によってＣb、Ｃr成分の復号範囲を制御し、間引き率が高いほど、復号範囲を大きく設定することも可能であり、また、ＭＣＵ間で隣接する画素を比較し、復号範囲の変更の結果、大きく異なる場合は平均化を実施してもよい。すなわち、Ｙ成分に関してブロック単位で平均化を実施し、Ｃb、Ｃr成分に関して隣のＣb、Ｃrを再利用または平均化を実施する。
【実施例５】
【００３４】
以上の実施例では、ＪＰＥＧデータの復号範囲を変更することにより弱電界領域であっても画像の乱れを防止し、正常に画像を表示できるようにしたが、ＪＰＥＧデータの復号範囲の変更ではなく、ＩＤＣＴ変換後の画素データの圧縮比を変更することにより弱電界領域であっても画像の乱れを防止することも可能である。
図１７は本実施例のデジタルテレビ放送受信装置の構成を示すブロック図であり、ＪＰＥＧデコーダ６の後段に圧縮部９が設けられるとともに、この圧縮部９の圧縮率を制御する制御部１０が設けられている点を除いて、図１と構成は同じであるので、圧縮部９、制御部１０以外の説明は省略する。
【００３５】
圧縮部９はＪＰＥＧデコーダ６からのＪＰＥＧ画像を圧縮してディスプレイ８に供給する。また、制御部１０は、ＡＧＣ制御信号AGC-MまたはAGC-Sの大きさに応じて、圧縮部９でのＪＰＥＧ画像の圧縮率を変更するものであり、圧縮部９に圧縮率指示信号を入力する。
この制御部１０は、図１８に示すように、ＡＧＣ制御量に応じて圧縮率を変更する圧縮率決定直線を定義する。そして、ＡＧＣ制御量がｋより大きいとき、制御部１０は、図１９（ａ）に示すように、ＩＤＣＴ変換後の８×８の画素データを１×１に圧縮するように圧縮部９に指示し、ＡＧＣ制御量がｋ〜ｍの範囲にあるときは、図１９（ｂ）に示すように、ＩＤＣＴ変換後の８×８の画素データを２×２に圧縮するように圧縮部９に指示する。また、ＡＧＣ制御量がｍ〜ｎの範囲にあるとき、制御部１０は、図１９（ｃ）に示すように、ＩＤＣＴ変換後の８×８の画素データを４×４に圧縮するように圧縮部９に指示し、ＡＧＣ制御量がｎより小さい時は圧縮処理を行わないように圧縮部９に指示する。
【００３６】
このように、ＡＧＣ制御量に応じてＩＤＣＴ変換後の画素データの圧縮比を変更することにより、弱電界領域であっても画像の乱れを防止し、正常に画像を表示できるようにすることができる。
なお、上記と同様に、ＡＧＣ制御量に換えて、受信データの誤り率、受信電界強度、Ｃ／Ｎ等によりＩＤＣＴ変換後の画素データの圧縮比を変更することも可能であり、また、平均化、圧縮化の単位を８×８のブロックではなく、図２０に示すように、ＭＣＵ単位とすることも可能である。
【００３７】
また、以上の実施例では、本発明のデジタルテレビ放送受信装置をＪＰＥＧファイルの復号に適用した例について説明したが、本発明のデジタルテレビ放送受信装置は、ＭＰＥＧファイル等のその他の圧縮ファイルの復号にも適用することが可能である。
さらに、以上の実施例では、圧縮対象のビットマップ画像の色変換した画像を最も標準的な８×８の画素値からなる画素ブロックに分割した例について説明したが、画素ブロックは、Ｎ×Ｎ（Ｎは任意の値）画素の正方形画素ブロックや正方形以外の画素ブロックに分割した場合にも、本発明のデジタルテレビ放送受信装置を適用することができる。
【図面の簡単な説明】
【００３８】
【図１】本発明のデジタルテレビ放送受信装置の構成を示すブロック図。
【図２】ＪＰＥＧデコーダの構成を機能で表した機能ブロック図。
【図３】原画像を分割した８×８画素のブロック。
【図４】空間周波数成分であるＤＣＴ係数の８×８の配列。
【図５】ブロックの復号範囲を決定する描画領域決定直線。
【図６】ブロックの復号領域を示す図。
【図７】他の実施例における、ＪＰＥＧデコーダの機能ブロック図。
【図８】さらに他の実施例における、ＪＰＥＧデコーダの機能ブロック図。
【図９】受信データの誤り率に応じてブロックの復号範囲を決定する描画領域決定直線。
【図１０】受信強度に応じてブロックの復号範囲を決定する描画領域決定直線。
【図１１】［４：１：１］（２ｈ２ｖ）のＭＣＵ形式。
【図１２】［４：２：２］（２ｈ１ｖ）のＭＣＵ形式。
【図１３】［４：２：２］（１ｈ２ｖ）のＭＣＵ形式。
【図１４】［４：４：４］（１ｈ１ｖ）のＭＣＵ形式。
【図１５】ＭＣＵ単位で復号範囲を変化させる処理例。
【図１６】ＭＣＵ毎のＡＧＣ制御量等の信頼性情報を数値化して記憶した情報。
【図１７】他の実施例のデジタルテレビ放送受信装置の構成を示すブロック図。
【図１８】ＡＧＣ制御量に応じて圧縮率を変更する圧縮率決定直線。
【図１９】ＩＤＣＴ変換後の８×８の画素データの圧縮処理説明図。
【図２０】平均化、圧縮化の単位をＭＣＵ単位とした圧縮処理説明図。
【符号の説明】
【００３９】
１、２  アンテナ
３  マスタチューナ
４  スレーブチューナ
５  復調・デコード部
６  ＪＰＥＧデコーダ
７  誤り率検出部
８  ディスプレイ
９  圧縮部
１０  制御部
１１  ハフマン復号部
１２  逆量子化部
１３  ＩＤＣＴ変換部
１４  制御部
【図１】
2008022462.tif 000003
【図２】
2008022462.tif 000004
【図３】
2008022462.tif 000005
【図４】
2008022462.tif 000006
【図５】
2008022462.tif 000007
【図６】
2008022462.tif 000008
【図７】
2008022462.tif 000009
【図８】
2008022462.tif 000010
【図９】
2008022462.tif 000011
【図１０】
2008022462.tif 000012
【図１１】
2008022462.tif 000013
【図１２】
2008022462.tif 000014
【図１３】
2008022462.tif 000015
【図１４】
2008022462.tif 000016
【図１５】
2008022462.tif 000017
【図１６】
2008022462.tif 000018
【図１７】
2008022462.tif 000019
【図１８】
2008022462.tif 000020
【図１９】
2008022462.tif 000021
【図２０】
2008022462.tif 000022